(57)【要約】  ダウンリンクＣｏＭＰにおいて、それぞれの協調送信ポイント（例：基地局）が、異なるリダンダンシーバージョン（ＲＶ）の再送信パケットをユーザ機器に送信する。いずれの送信ポイントが、いずれのリダンダンシーバージョンを持たせたパケットを送信するかを判別するメカニズムが提供される。アップリンクＣｏＭＰにおいて、バックホールのオーバーヘッドを低減するために、それぞれの協調基地局は、再送信パケットの一部だけを、サービング基地局間で共有する。さらに、異なるリダンダンシーバージョンを含んだ異なる再送信パケットは、異なる協調受信ポイントへ、空間上の自由度を用いて送信される。
2013502086.tif 000002
【特許請求の範囲】
【請求項１】
少なくとも二つの送信ポイントがあり、再送信パケットの第一のリダンダンシーバージョンを、第一の自由度でユーザ機器へ送信する工程を含み、
前記第一の自由度は、前記再送信パケット中の少なくとももう一つある別のリダンダンシーバージョンが、前記ユーザ機器へ送信されるときの、少なくとももう一つある別の自由度と異なるものである、情報の再送信のための方法。
【請求項２】
前記方法がサービング基地局によって実行される際に、
前記少なくとももう一つある別のリダンダンシーバージョンのうち、どのリダンダンシーバージョンが送信されるべきか、および、どのリソースブロックが使用されるべきかを、信号メッセージを介して、少なくとももう一つある別の送信ポイントに対して指示する工程をさらに含む、請求項１に記載の方法。
【請求項３】
前記信号メッセージは、前記サービング基地局と、少なくとももう一つある別の送信ポイントとの間で動的な方式で交換される制御信号メッセージである、請求項２に記載の方法。
【請求項４】
前記信号メッセージは、複数ポイント協調通信の初期セットアップ中に、前記サービング基地局と、前記少なくとももう一つある別の送信ポイントとの間で交換される、上位レイヤ信号メッセージである、請求項２に記載の方法。
【請求項５】
どのリダンダンシーバージョンが送信されるべきか、および、どのリソースブロックが使用されるべきかの指示が、再送信の際に発生する、請求項２に記載の方法。
【請求項６】
どのリダンダンシーバージョンが送信されるべきか、および、どのリソースブロックが使用されるべきかの指示が、状態を変更するタイミングで行われる、請求項２に記載の方法。
【請求項７】
暗黙の情報を用いて、送信されるべき、前記第一のリダンダンシーバージョン、および、前記少なくとももう一つある別のリダンダンシーバージョンを決定する工程をさらに含む、請求項１に記載の方法。
【請求項８】
前記方法がサービング基地局によって実行される際に、
情報の再送信に参加するために、複数ポイント協調通信に関与している送信ポイントのサブセットを選択する工程をさらに含む、請求項１に記載の方法。
【請求項９】
前記少なくとも二つの送信ポイントが同じ場所を共用する場合に、前記少なくとも二つの送信ポイントが、マルチアンテナを含み、
前記第一のリダンダンシーバージョンは、前記少なくとももう一つある別のリダンダンシーバージョンとは異なる空間レイヤで送信され、
レイヤとリダンダンシーバージョン間のマッピングが静的に割り当てられる、請求項１に記載の方法。
【請求項１０】
前記少なくとも二つの送信ポイントは、マルチアンテナを含み、
前記第一のリダンダンシーバージョンは、前記少なくとももう一つある別のリダンダンシーバージョンとは異なる空間レイヤで送信され、
レイヤとリダンダンシーバージョン間のマッピングは、複数ポイント協調通信の初期セットアップ中に準静的に割り当てられる、請求項１に記載の方法。
【請求項１１】
前記第一のリダンダンシーバージョンは、前記少なくとももう一つある別のリダンダンシーバージョンとは異なる空間レイヤで送信されていて、
前記ユーザ機器に、どの空間レイヤがどのリダンダンシーバージョンを送信しているかを信号で伝える工程をさらに含む、請求項１に記載の方法。
【請求項１２】
複数ポイント協調通信に関与する前記少なくとも二つの送信ポイントの数が、空間レイヤの数を超えたとき、前記リダンダンシーバージョンを、ｋが送信ポイントのランク、Ｌが利用可能な空間レイヤの数であるとき、ｋｍｏｄ Ｌを用いて選択する工程を含む、請求項１に記載の方法。
【請求項１３】
ダウンリンク制御チャネルを介して、上記ユーザ機器に、使用されているリダンダンシーバージョンおよびリソースを通知する工程をさらに含む、請求項１に記載の方法。
【請求項１４】
前記方法は、サービング基地局によって実行される際に、
前記ユーザ機器からフィードバックレポートを受信する工程と、
前記フィードバックレポートに基づき、再送信の成功率が最も高い、前記少なくとも二つの送信ポイントおよび前記少なくとももう一つある別のリダンダンシーバージョンを選択する工程とをさらに含む、請求項１に記載の方法。
【請求項１５】
前記フィードバックレポートが、少なくとも二つの送信ポイントと、前記第一および前記少なくとももう一つある別のリダンダンシーバージョンを考慮した前記ユーザ機器の優先度を含む、請求項１４に記載の方法。
【請求項１６】
オリジナルの送信パケットの第一のリダンダンシーバージョンを、前記オリジナルの送信パケットの、少なくとももう一つある別のリダンダンシーバージョンとは異なる自由度で、前記ユーザ機器に送信する工程をさらに含む、請求項１に記載の方法。
【請求項１７】
アップリンク複数ポイント協調通信のための情報の再送信の方法であって、
前記方法がサービング基地局によって実行される際に、
ユーザ機器からパケットを受信する工程と、
前記サービング基地局が前記パケットを復号できるか否かを決定する工程と、
前記サービング基地局が前記パケットを復号できないとき、
第一のバックホール接続を介して、第一の協調基地局から、前記パケットの第一の部分を受信する工程と、
第二のバックホール接続を介して、第二の協調受信ポイントから、前記パケットの第二の部分を受信する工程とを含む方法。
【請求項１８】
アップリンク複数ポイント協調通信のための、情報の送信の方法であり、
パケットを複数の協調受信ポイントのそれぞれに送信する工程と、
異なるリダンダンシーバージョンを含んだ、異なる再送信パケットを、異なる協調受信ポイントへ、空間自由度を用いて送信する工程とを含む方法。
【請求項１９】
情報の再送信のために構成された送信ポイントであり、
再送信パケットの第一のリダンダンシーバージョンを、第一の自由度でユーザ機器に送るための送信部を備え、
前記第一の自由度が、前記再送信パケットの少なくとももう一つある別のリダンダンシーバージョンを前記ユーザ機器に送信するときの、少なくとももう一つある別の自由度とは異なっている送信ポイント。
【請求項２０】
前記第一および前記少なくとももう一つある別の自由度が、時間、周波数、空間レイヤ、およびコードのうちの少なくとも一つから得られる、請求項１９に記載の送信ポイント。
【請求項２１】
前記第一および前記少なくとももう一つある別の自由度が、少なくとも２つの送信ポイントのうちの異なる送信ポイントから得られる、請求項１９に記載の送信ポイント。
【請求項２２】
前記第一および前記少なくとももう一つある別の自由度のうちの少なくとも一つの自由度では、異なる送信ポイントのリソースを組み合わせる、請求項１９に記載の送信ポイント。
【請求項２３】
アップリンク複数ポイント協調通信のための情報の再送信のために構成されたサービング基地局であって、
パケットをユーザ機器から受信する受信部と、
前記サービング基地局が前記パケットを復号できるか否かを決定する決定部とを備え、
前記サービング基地局が前記パケットを復号できないとき、
前記受信部は第一のバックホール接続を介して、第一の協調基地局から、前記パケットの第一の部分を受信し、
第二のバックホール接続を介して、第二の協調受信ポイントから、前記パケットの第二の部分を受信するサービング基地局。
【請求項２４】
前記パケットの前記第一の部分は、前記パケットの前記第二の部分と同じリダンダンシーバージョンを有する、請求項２３に記載のサービング基地局。
【請求項２５】
前記パケットの前記第一の部分は、前記パケットの前記第二の部分と異なるリダンダンシーバージョンを有する、請求項２３に記載のサービング基地局。
【請求項２６】
アップリンク複数ポイント協調通信のための情報送信のための装置であって、
パケットを複数の協調受信ポイントのそれぞれに送信する一方、異なるリダンダンシーバージョンを有する異なる再送信パケットを、異なる協調受信ポイントに空間自由度を用いて送信する、送信部を備える装置。
【請求項２７】
よりよいチャネルを有する受信ポイントが、追加パリティビットにアクセスできるように、重畳符号化を用いて、追加情報を決定する決定部をさらに備える、請求項２６に記載の装置。
【請求項２８】
前記装置はユーザ機器であり、前記受信ポイントは基地局である、請求項２６に記載の装置。
【発明の詳細な説明】
【技術分野】
【０００１】
本発明は、概して無線通信に関するものである。すなわち、本発明は、セルラ通信網における、情報の複数ポイント協調通信の方法、送信ポイント、サービング基地局、および装置に関する。
【背景技術】
【０００２】
セルラ通信網とは、セルサイトもしくは基地局として知られる固定された通信機によってサービスが行われる多数の無線セル（もしくは単にセル）で作られた無線ネットワークである。これらのセルは、異なる領域をカバーするために使われ、単独のセルの無線範囲よりも広い範囲にまで無線範囲を供給可能としている。セルラ通信網は、それぞれセルを構成する固定された主要トランシーバのセットと、ネットワークのユーザにサービスを供給する分散型トランシーバ（必ずではないが、たいていは携帯）とのセットを含む。
【０００３】
セルラネットワークの標準規格の開発に取り組む多くの標準化団体がある。そのような標準化団体の一例として、３ＧＰＰ（3rd Generation Partnership Project）がある。３ＧＰＰ  ＬＴＥは、将来の技術の革新に対処して、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）を改善した３ＧＰＰであるという思いを込めて、プロジェクトに与えられた名前である。３ＧＰＰ  ＬＴＥ‐Ａｄｖａｎｃｅｄは一般に、３ＧＰＰ  ＬＴＥを向上させたものとして、３ＧＰＰによって規格化されている。
【０００４】
多地点協調（ＣｏＭＰ）送信および受信は、３ＧＰＰ  ＬＴＥ‐Ａｄｖａｎｃｅｄの性能改善技術の一つであると考えられている。ＣｏＭＰの一つの実装は、ＵＥに複数の伝送能力を組み込んでおき、ＵＥによりよい信号の品質という結果を与えるために、複数の基地局からユーザ機器（ＵＥ，user equipment）へ情報を送信することである。
【０００５】
パケットにエラーが検知されたとき、送信機へエラーについて知らせる否定応答（ＮＡＣＫ，Negative Acknowledgement）が返信される。ＮＡＣＫを受け取ると、送信機はパケットを再送信する。再送信されたパケットは、受信機によって最初の送信と組み合わされ、復号される。エラーが検知されなければ、肯定応答（ＡＣＫ、Acknowledgement）が返信される。そうでない場合は、別のＮＡＣＫが返信され、エラーなしでパケットが復号されるか、再送信の試行が最大回数（例えば、標準規格に指定されているような）に達するまで、その工程が繰り返される。
【０００６】
再送信について、送信機はオリジナルの送信内容とまったく同一のパケットを再送信できる。あるいは、送信機は異なるバージョンのパケットを送ってもよい。これらの異なるバージョンは、リリース８（ＬＴＥ）のリダンダンシーバージョン（ＲＶ，Redundancy Version）パラメータによって示されている。
【発明の概要】
【０００７】
情報の再送信のための方法が開示されている。再送信パケットの第一のリダンダンシーバージョンは、第一の自由度でユーザ機器に送られる。第一の自由度は、再送パケットの少なくとももう一つある別のリダンダンシーバージョンがユーザ機器に送信される上での少なくとももう一つある別の自由度とは異なっている。
【０００８】
第一および少なくとももう一つある別の自由度は、少なくとも時間、周波数、空間レイヤ、コードの一つから得られる。ある実施例において、前記第一および少なくとももう一つある別の自由度は、少なくとも２箇所の異なる送信ポイントから得られる。ある実施例においては、前記第一および前記少なくとももう一つある別の自由度のうちの少なくとも一つ自由度が、異なる送信ポイントを組み合わせる。
【０００９】
前記方法は、サービング基地局によって実行されてもよい。前記サービング基地局は、信号メッセージを介して、少なくとももう一つある別の送信ポイントに対して、前記少なくとももう一つある別の冗長バージョンのうち、どの冗長バージョンを送信すべきか、およびどのリソースブロックを使用すべきかを通知する。ある実施例においては、前記信号メッセージは、制御信号メッセージであり、サービング基地局と、少なくとも一つの他の送信ポイントとの間で動的な方式で交換される。ある実施例においては、前記信号メッセージは、より上位層の信号メッセージであり、サービング基地局と少なくとも一つの別の送信ポイントとの間において、多地点協調通信の初期セットアップ中に交換される。
【００１０】
ある実施例においては、どのリダンダンシーバージョンが送信されるべきかを示す指示と、どのリソースブロックが使用されるべきかを示す指示とが、再送信の際に行われる。ある実施例においては、いずれのリダンダンシーバージョンが送信されるべきかを示す指示と、どのリソースブロックが使用されるべきかを示す指示とが、状態を変更するタイミングで行われる。送信すべき、前記第一のリダンダンシーバージョンおよび前記少なくとももう一つある別のリダンダンシーバージョンは、暗黙の情報を用いて決定される。
【００１１】
前記方法は、サービング基地局によって実施されてもよい。前記サービング基地局は、情報の再送信に参加するために、多地点協調通信に関与している送信ポイントのサブセットを選択する。
【００１２】
前記の方法は、マルチアンテナを含む少なくとも二つの送信ポイントによって実行される。前記第一のリダンダンシーバージョンは、前記少なくとももう一つある別のリダンダンシーバージョンとは異なる空間レイヤで送信される。ある実施例においては、第一のリダンダンシーバージョンと少なくとももう一つある別のリダンダンシーバージョンの送信を指定するために、前記レイヤとリダンダンシーバージョン間のマッピングは静的に割り当てられる。（２０１２／１／２５  Ｅ．Ｐ６Ｌ１３）ある実施例においては、第一のリダンダンシーバージョンと少なくとももう一つある別のリダンダンシーバージョンとの送信を指定するために、上記レイヤとリダンダンシーバージョン間のマッピングは、多地点協調通信の初期のセットアップ中に準静的に行われる。前記の方法は、ダウンリンク制御チャネルを介して、前記ユーザ機器に、使用されているリダンダンシーバージョンおよびリソースを通知する工程をさらに含んでもよい。
【００１３】
前記第一のリダンダンシーバージョンは、上記少なくとももう一つある別のリダンダンシーバージョンとは異なる空間レイヤへ送信される。前記の方法は、ユーザ機器に、どの空間レイヤがどの冗長バージョンを送信しているかを伝える工程をさらに含んでもよい。
【００１４】
多地点協調通信に関与する前記少なくとも二つの送信ポイントの数が、前記空間レイヤの数を超えたとき、前記リダンンダンシーバージョンを式ｋｍｏｄ Ｌを用いて選択してもよい。ここで、ｋは送信ポイントのランクであり、Ｌは利用可能な空間レイヤの数である。
【００１５】
前記の方法は、サービング基地局によって実行されてもよい。前記サービング基地局は、前記ユーザ機器からフィードバックレポートを受け取り、再送信の成功率が最も高い、前記少なくとも二つの送信ポイントおよび前記少なくとももう一つある別のリダンダンシーバージョンを、前記フィードバックレポートに基づき選択する。前記フィードバックレポートは、少なくとも二つの送信ポイントと、前記第一および前記少なくとももう一つある別のリダンダンシーバージョンとに関する、前記ユーザ機器の優先度を含む。
【００１６】
前記方法は、オリジナルの送信パケットの第一のリダンダンシーバージョンを、前記オリジナルの送信パケットの、少なくとももう一つある別のリダンダンシーバージョンとは異なる自由度で前記ユーザ機器に送信する工程をさらに含んでもよい。
【００１７】
アップリンク多地点協調通信のための、情報の再送信の方法も開示されている。サービング基地局は、ユーザ機器からパケットを受け取る。前記サービング基地局は、前記サービング基地局がパケットを復号できるか否かを決定する。前記サービング基地局が前記パケットの復号を行うことができないとき、前記サービング基地局は、第一のバックホール接続を介して、第一の協調基地局から、前記パケットの第一の部分を受信する。前記サービング基地局は、第二のバックホール接続を介して、第二の協調受信ポイントから、前記パケットの第二の部分を受信する。前記パケットの第一の部分には、前記パケットの第二の部分と同じリダンダンシーバージョンが含まれている。あるいは、前記パケットの第一の部分には、前記パケットの第二の部分と異なるリダンンダンシーバージョンが含まれている。
【００１８】
アップリンク多地点協調通信のための、情報の送信の方法も開示されている。前記方法は、パケットを複数の協調受信ポイントのそれぞれに送信する工程を含む。前記方法は、異なるリダンダンシーバージョンを含んだ、異なる再送信パケットを、異なる協調受信ポイントへ、空間自由度を用いて送信する工程を含む。決定部は、よりよいチャネルを有する受信ポイントが追加パリティビットにアクセスできるように、重畳符号化を用いて符号化された、追加情報を決定するために使用することができる。前記の方法は、ユーザ機器によって実行され、その受信ポイントは基地局であってもよい。
【００１９】
情報の再送信のために構成された送信ポイントが開示されている。前記送信ポイントは、再送信パケットの第一のリダンダンシーバージョンを、第一の自由度で、ユーザ機器に送信するための送信部を備える。前記第一の自由度は、前記再送信パケットの少なくとももう一つある別のリダンダンシーバージョンを前記ユーザ機器に送信するときの少なくとももう一つある別の自由度と異なっている。
【００２０】
アップリンク多地点協調通信のための情報の再送信のために構成されたサービング基地局が開示されている。前記サービング基地局は、パケットをユーザ機器から受け取る受信部と、前記サービング基地局が前記パケットを復号できるか否かを決定する決定部とを含む。前記サービング基地局が前記パケットを復号できないとき、前記受信部は第一のバックホール接続を介して、第一の協調基地局から、前記パケットの第一の部分を受け取り、第二のバックホール接続を介して、第二の協調受信ポイントから、前記パケットの第二の部分を受け取る。
【００２１】
アップリンク多地点協調通信のための情報の送信装置が開示されている。前記装置は、パケットを複数の協調受信ポイントのそれぞれに送信するとともに、異なるリダンダンシーバージョンを含んだ異なる再送信パケットを、異なる協調受信ポイントへ、空間自由度を用いて送信する送信部を含む。
【００２２】
本発明の、前記およびその他の目的、特徴、利点は、以下の発明の詳細な説明とそれに付随した関連する図の考察により、より容易に理解できるであろう。
【図面の簡単な説明】
【００２３】
【図１】ＬＴＥシステムにおける、ハイブリッド自動再送要求（ＨＡＲＱ、Hybrid Automatic Repeat Request）の一般的なコンセプトの特定の局面を示す図である。
【図２】ＬＴＥシステムにおけるＨＡＲＱの一般的なコンセプトの追加の特定の局面を示す図である。
【図３】複数の協調基地局がユーザ機器（ＵＥ）へ再送信パケットを送信するシステムを示す図である。
【図４】図３における複数の協調基地局とＵＥとによって行われる方法を示した図である。
【図５】どちらのリダンダンシーバージョン（ＲＶ）が基地局によって送信されるかを、基地局が決定する情報を示した図である。
【図６】どちらのリダンダンシーバージョンが送信されるべきかを決定するための協調基地局への命令を与える方法を示した図である。
【図７】サービング基地局と、別の協調基地局との間に発生する信号を示した図である。
【図８】複数の協調基地局へリダンダンシーバージョンを割り当てるコアネットワークを示した図である。
【図９】複数の協調基地局へリダンダンシーバージョンを割り当てるＵＥを示した図である。
【図１０】どのリダンダンシーバージョンが送信されるべきかを決定する複数の協調基地局のための、別の可能なメカニズムを示した図である。
【図１１】制御チャネルを介して、ＵＥへリダンダンシーバージョン分配情報とリソース割当情報とを送信するサービング基地局を示した図である。
【図１２】サービング基地局へチャネル情報をフィードバックするＵＥを示した図である。
【図１３】アップリンクＣｏＭＰが実行されているシステムでの情報の再送信の方法を示した図である。
【図１４】図１３のシステムにおいて、複数の協調基地局とＵＥとで行われる方法を示した図である。
【図１５】図１３のシステムにおいて、複数の協調基地局とＵＥとで行われる別の方法を示した図である。
【図１６】コミュニケーション機器として利用できる様々な構成要素を示した図である。
【発明を実施するための形態】
【００２４】
上述の通り、ここで開示されている方法は、ＣｏＭＰの設定に適用される。ＣｏＭＰの設定の例として、複数の基地局が相互に協調してユーザ機器（ＵＥ）への情報の送信を行っていることがある。開示された方法は、ＣｏＭＰの設定におけるハイブリッド自動再送要求（ＨＡＲＱ、Hybrid Automatic Repeat Request）オペレーションに伴う接続に適用される（例えば、ＵＥでエラーが検知され、再送信がうまくいく場合）。
【００２５】
実施例の目的として、ここで開示された方法は、３ＧＰＰ  ＬＴＥや３ＧＰＰ  ＬＴＥ−Ａｄｖａｎｃｅｄなどの、３ＧＰＰ  ＬＴＥ系統のシステムに関するものとして述べられる。しかしながら、開示された方法の範囲は、これに限定されるものではない。ここで開示された方法は、別の種類の無線通信システムにおいても実施することができる。
【００２６】
ここで使用される “ユーザ機器（ＵＥ）”という用語は、無線通信システムにおいて音声および／またはデータの通信に使用される電子機器のことを表す。ＵＥの例としては、携帯電話、パーソナルデジタルアシスタント（ＰＤＡｓ、personal digital assistants）、無線モデム（wireless modems）、ノートパソコン（laptop computers）などがある。ＵＥはまた、移動局（mobile station）、接続端末（access terminal）、携帯端末（mobile terminal）、加入局（subscriber station）、遠隔局（remote station）、ユーザ端末（user terminal）、端末（terminal）、加入ユニット（subscriber unit）、携帯機器（mobile device）、無線機器（wireless device）、もしくは別の用語にも適用される。
【００２７】
“基地局”という用語は、固定された位置に設置され、ＵＥとの通信に使用される無線通信局に適用される。基地局は、また、アクセスポイント（access point）、Node B、evolved Node B（ｅＮＢ）、もしくは別の類似した専門用語としても適用される。
【００２８】
ＵＥは、アップリンクとダウンリンクの伝送を介して、一つまたはそれ以上の基地局と通信する。アップリンク（もしくは逆方向リンク）は、ＵＥから基地局への通信リンクを表し、ダウンリンク（もしくは順方向リンク）は基地局からＵＥへの通信リンクを表す。
【００２９】
まず、ＬＴＥリリース８における、ＨＡＲＱの一般的なコンセプトについての、説明をする。図１と図２とを参照する。一例を挙げると、符号化されていないビットは、マザー符号化器（mother encoder）を用いて、ターボ符号化率1/3で符号化される。しかしながら、全ての符号化ビット１０２が送信されることはない。“ビット選択”工程により、符号化ビット１０２のサブセットが送信のために選ばれる。選択工程は、以下の通りに行われる。まず、全てのビットはインターリーブおよびシャッフルされ、符号化ビット１０２の長いパケットが生成される。これは符号化ビットストリーム１０２とも表される。次に、Ｋ０＝０の位置（ストリーム１０２の最初の位置）から始めて、Ｎビットが選択され、最初に送信されるパケットが形成される。このパケットは、図１のＰｋｔ１１０４として示されている。
【００３０】
もしパケット１０４が目的地で正しく受信されたなら、パケットの送信が成功したことを示す短い肯定応答パケット（ＡＣＫ）が送信機に返信される。もし正しく受信されなければ、否定応答（ＮＡＣＫ）が返信される。送信機によってＮＡＣＫが受信されたとき、ＨＡＲＱ工程に従って、パケットが再送信される。リダンダンシーバージョン（ＲＶ）パラメータが、再送信パケットに割り当てられる。もしｒｖ＝０であるならば、これはＰｋｔ１１０４が再送信されたことを示す。リダンダンシーバージョンパラメータは、他に３つの値、１，２および３を取り得る。それぞれの値は、元の符号化ビットストリーム１０２でのスタート位置と関連している。図２は、異なるリダンダンシーバージョンから形成された再送信パケットを表しており、Ｐｋｔ２２０６がｒｖ＝１に対応し、Ｐｋｔ３ ２０８がｒｖ＝２に、Ｐｋｔ４ ２１０がｒｖ＝３に対応する。
【００３１】
図３を参照すると、ここで開示された方法のうちの少なくともいくつかが利用されているシステム３００が示されている。第一の基地局３１２ａ、第二の基地局３１２ｂ、および第三の基地局３１２ｃがダウンリンクＣｏＭＰに関与している。すなわち、これらの基地局はＵＥ３１４への送信において協調している（ＣｏＭＰ通信）。第一の基地局３１２ａはサービング基地局３１２ａである。すなわち、第一の基地局３１２ａは、ＵＥ３１４との接続を維持するために中心的な役割を果たす。それぞれの基地局３１２は、複合Ｔｘアンテナ３１６を含む。特に、サービング基地局３１２ａは、第一および第二のＴｘアンテナ３１６ａ、３１６ｂを含む。第二の基地局３１２ｂは、第一および第二のＴｘアンテナ３１６ｃ、３１６ｄを含む。第三の基地局３１２ｃは、第一および第二のＴｘアンテナ３１６ｅ、３１６ｆを含む。図３に示された残りの項目については、図４を用いて後述する。
【００３２】
ダウンリンクＣｏＭＰに関しては、異なる基地局からの異なるリダンダンシーバージョンの再送信に利用可能であるリソースが存在するときに、再送信の方法が適用できる。この場合、リソースとは時間、周波数、そして空間レイヤのことを表す。この場合、“空間レイヤ”（もしくは単に“レイヤ”）は、ＬＴＥで使用される用語であり、空間多重化によって形成された、異なるストリームをさす。レイヤは、送信アンテナポートに対するシンボルのマッピングとして説明できる。それぞれのレイヤは、送信アンテナポートの数に等しいサイズの（プリコーディングした）ベクトルによって同定され、指向性と関連付けることが可能である。
【００３３】
図４のメソッド４００に、典型的な流れが示されている。実施例の目的として、このメソッド４００は図３におけるシステム３００との関係で議論される。４０２で、ダウンリンクＣｏＭＰに関与している基地局３１２ａ、３１２ｂ、３１２ｃは、ＵＥ３１４への最初のパケット送信を行う。最初の送信は、ランク１での送信、もしくは複数ランクでの送信となる。
【００３４】
４０４で、ＵＥ３１４は、少なくとも一つの符号語（しかし全ての符号語よりは少ない）が誤って復号されたと判定する。この場合、“符号語”という用語は、送信機の中のメディアアクセス制御（ＭＡＣ）レイヤから物理層に向けて送られた単一の送信ブロック（ＴＢ）に相当し、巡回冗長検査（ＣＲＣ）によって保護されている、独立して符号化されたデータブロックを表す。４０６で、ＵＥ３１４は、ＮＡＣＫを送ることで符号語の再送信を要求する。基地局３１２ａ、３１２ｂ、３１２ｃは符号語を、異なるリダンダンシーバージョン３２０ａ、３２０ｂ、３２０ｃを使用することで、多重レイヤを通して再送信する。これらの異なるリダンダンシーバージョンは、第一のリダンダンシーバージョンと少なくとももう一つある別のリダンダンシーバージョンであると見なすことができる。特に、４０８で、基地局３１２ａ、３１２ｂ、３１２ｃは、符号語を、再送信パケット３１８ａ、３１８ｂ、３１８ｃを送ることで再送信する。再送信パケット３１８ａ、３１８ｂ、３１８ｃは、最初の送信と同じ情報ビットを伝えるが、必ずしも最初の送信と同じビットであるとは限らない。サービング基地局３１２ａによって送られた再送信パケット３１８ａのリダンダンシーバージョン３２０ａは、サービング基地局３１２ｂによって送られた再送信パケット３１８ｂのリダンダンシーバージョン３２０ｂと異なっており、またそれは、サービング基地局３１２ｃによって送られた再送信パケット３１８ｃのリダンダンシーバージョン３２０ｃとも異なっている。
【００３５】
さらに、４０８で、異なる再送信パケット３１８ａ、３１８ｂ、３１８ｃ中の異なるリダンダンシーバージョン３２０ａ、３２０ｂ、３２０ｃが、異なるリソース（例：時間、周波数、空間、符号、これらの組み合わせなど）を用いて送られる。特に、異なるリダンダンシーバージョン３２０ａ、３２０ｂ、３２０ｃは、それぞれに異なるリソースを割り当てることによって送信できる。例として、第一の協調基地局３１２ａは第１の瞬間、あるリダンダンシーバージョン３２０ａを送ることができ、第二の協調基地局３１２ｂは別の瞬間、二つ目のリダンダンシーバージョン３２０ｂを送ることができ、そして第三の協調基地局３１２ｃは、第３の瞬間、三つ目のリダンダンシーバージョン３２０ｃを送ることができる。あるいは、複数の協調基地局３１２ａ、３１２ｂ、３１２ｃは、異なるリダンダンシーバージョン３２０ａ、３２０ｂ、３２０ｃを、異なる周波数のリソースで同時に送ることができる。また、同一の時間−周波数リソースで、異なるリダンダンシーバージョン３２０ａ、３２０ｂ、３２０ｃを分離するために、異なる符合を用いることもできる。
【００３６】
再送信パケット３１８のための異なるリダンダンシーバージョン３２０は、ＭＩＭＯ送信モードにおいて、異なる空間レイヤで送ることができる。二つの送信ポイントを含む単純な例として、二つの空間レイヤを有する２×２ＭＩＭＯシステムを考えてみる。この例では、一つのリダンダンシーバージョン３２０はレイヤ１で送られ、別のリダンダンシーバージョン３２０はレイヤ２で送られる。それぞれの送信ポイントが、独立した空間レイヤを有することも可能だし（例：送信ポイント２がレイヤ２で送信しているとき、送信ポイント１はレイヤ１で送信する）、複数の送信ポイントが、共に一つの空間レイヤを形成することも可能である（例：送信ポイント１と送信ポイント２とが共にレイヤ１とレイヤ２とを形成し、それらで異なるリダンダンシーバージョン３２０を送信する）。これは、ただ一つのリダンダンシーバージョン３２０を、全ての空間レイヤを使用して送信する現在の再送信の仕組みとはまったく異なる。
【００３７】
先行するリダンダンシーバージョン３２０と、前記異なるリダンダンシーバージョン３２０とを組み合わせるために、ＵＥ３１４は、異なるリダンダンシーバージョン３２０を識別できなければならない。したがって、前記異なるリダンダンシーバージョン３２０は、異なる自由度で送信されねばならない。これらの自由度は、第一の自由度および少なくとももう一つある別の自由度であると見なすことができる。この場合、“異なる自由度”というフレーズは、再送信パケットのある一つのリダンダンシーバージョンと、再送信パケットのもう一つの別のリダンダンシーバージョンとを区別するためのメカニズムを指す。例えば、再送信パケットの異なるリダンダンシーバージョンは、時間、周波数、空間レイヤ、符号などを用いて区別される。前記異なる自由度は、異なる送信ポイントから得られてもよい。例えば、第一のリダンダンシーバージョン３２０ａは、第一のレイヤ上で第一の基地局３１２ａから送られ、第二のリダンダンシーバージョン３２０ｂは、第二のレイヤ上で第二の基地局３１２ｂから送られる。あるいは、それぞれの自由度は、異なる送信ポイントのリソースを組み合わせてもよい。例えば、第一および第二の空間レイヤは共に、第一および第二の基地局３１２ａ、３１２ｂからのチャネルを組み合わせたものより得られてもよい。あるいは、上述の組み合わせが用いられてもよい。例えば、ある自由度は、異なる送信ポイントから得られ、ある自由度では、異なる送信ポイントのリソースを組み合わせてもよい。
【００３８】
ＵＥ３１４は、４１０で、再送信パケット３１８ａ、３１８ｂ、３１８ｃを、最小平均二乗誤差（ＭＭＳＥ，Minimum Mean Squared Error）のような、マルチ入力、マルチ出力（ＭＩＭＯ）技術を用いて分離する。ＵＥ３１４は、さらに、４１２で、再送信パケット３１８ａ、３１８ｂ、３１８ｃを、最初の送信パケットと結合する。
【００３９】
ここで、基地局３１２が、リダンダンシーバージョン３２０、および／または、再送信パケット３１８ａ、３１８ｂ、３１８ｃを送るのに使用するリソースを決定するいくつかのメカニズムの例を述べる。このようなメカニズムは、協調基地局３１２ａ、３１２ｂ、３１２ｃへの“命令”を与えるものとみなされる。
【００４０】
ここで、暗黙の情報を介して、協調基地局３１２ａ、３１２ｂ、３１２ｃに命令を与える一手法を説明している図５および６を参照する。図６のメソッド６００に示されるように、それぞれの基地局３１２は、６０２で、他の各協調基地局３１２のセルＩＤ５２２を判別する。例えば、６０２で、サービング基地局３１２ａは、第二の基地局３１２ｂおよび第三の基地局３１２ｃのセルＩＤ５２２を、初期ＣｏＭＰセットアップ中に判別する。第二の基地局３１２ｂは、サービング基地局３１２ａおよび第三の基地局３１２ｃのセルＩＤ５２２を、サービング基地局３１２ａから受信する。同様に、第三の基地局３１２ｃは、サービング基地局３１２ａおよび第二の基地局３１２ｂのセルＩＤ５２２を、サービング基地局３１２ａから受信する。
【００４１】
６０４で、それぞれの基地局３１２は、協調基地局３１２ａ、３１２ｂ、３１２ｃに対するランク５２４を、それぞれのセルＩＤ５２２に基づいて決定する。例えば、サービング基地局３１２ａはセルＩＤ＝１７、第二の基地局３１２ｂはセルＩＤ＝４、第三の基地局３１２ｃはセルＩＤ＝２３にすると仮定する。この例のでは、第二の基地局３１２ｂが一番目に、サービング基地局３１２ａが二番目に、第三の基地局３１２ｃが三番目にランク付けされてもよい。
【００４２】
各基地局３１２は、６１０で、あらかじめ指定されたリダンダンシーバージョン３２０を、それぞれのランク５２４に基づいて選択する。例えば、一番目にランク付けされた基地局３１２（すなわち、この例では第二の基地局３１２ｂ）はｒｖ＝２を選択してよいし、二番目にランク付けされた基地局３１２（すなわち、この例ではサービング基地局３１２ａ）はｒｖ＝１を選択してよいし、三番目にランク付けされた基地局３１２（すなわち、この例では第三の基地局３１２ｃ）もｒｖ＝２を選択してよい。したがって、必要なものはランク５２４とリダンダンシーバージョン３２０との間のマッピングのみである。
【００４３】
使用可能なリダンダンシーバージョン３２０の最大数は、空間レイヤの数によって制限される。すなわち、異なるリダンダンシーバージョン３２０を有するパケット３１８の数は、空間レイヤの数だけ存在する。再送信の数を、レイヤの数に制限する一つの手法として、ランク５２４の最大値を、レイヤの数に制限することが挙げられる。６０６で、いずれかのランク５２４が空間レイヤの数を超えるかどうか（すなわち、協調基地局３１２の数が空間レイヤの数を超えるかどうか）の判定が行われる。６０８で、空間レイヤの数を超える各ランク５２４ごとに、ランク５２４は、ｋ（新）＝ｋ（旧）ｍｏｄ Ｌとして再計算される。ここで、ｋはランク５２４であり、Ｌは空間レイヤの数である。次に、ランク５２４を与えられた全ての基地局３１２に対して、一つのリダンダンシーバージョン３２０が割り当てられる。言い換えれば、ｒｖ＝ｉ（ｋ）（０，１，２，３のいずれか）である。
【００４４】
ここで、図７を参照する。サービング基地局３１２ａは、関与する基地局３１２ａ、３１２ｂ、３１２ｃの各々に順位を割り当てることができる。この情報は、明示的な指令ビットを介して送信されることが可能であり、他の関与する基地局３１２ｂ、３１２ｃのそれぞれに送られる。
【００４５】
例えば、サービング基地局３１２ａは、それぞれの協調基地局３１２ａ、３１２ｂ、３１２ｃが再送信パケット３１８ａ、３１８ｂ、３１８ｃの送信のために使用するリダンダンシーバージョン３２０とリソースを決定する。これらの決定は、ＣｏＭＰの初期設定の時点で行われてもよい。あるいは、これらの判定は、再送信の際に行われてもよい（すなわち、再送信パケット３１８ａ、３１８ｂ、３１８ｃが送信されるとき）。
【００４６】
サービング基地局３１２ａは、リダンダンシーバージョン割当情報７２８とリソース割当情報７３０を、他の協調基地局３１２ｂ、３１２ｃへ送信する。上記リソース割当情報７３０は、協調基地局３１２ａ、３１２ｂ、３１２ｃによって、個々のリダンダンシーバージョン３２０ａ、３２０ｂ、３２０ｃに対して使用されるリソースブロック（例：時間、周波数、空間レイヤ、コード、など）を示している。
【００４７】
サービング基地局３１２ａは、リダンダンシーバージョン割当情報７２８とリソース割当情報７３０を、他の協調基地局３１２ｂ、３１２ｃへブロードキャストする。あるいは、サービング基地局３１２ａは、この情報７２８，７３０を、他の協調基地局３１２ｂ、３１２ｃへ、非ブロードキャストメッセージを介して送信する。図７は、サービング基地局３１２ａが、信号メッセージ７２６ａを、第二の基地局３１２ｂへ送信する構成を示している。この信号メッセージ７２６ａは、リダンダンシーバージョン割当情報７２８ａとリソース割当情報７３０ａとを含む。図７はさらに、サービング基地局３１２ａが、信号メッセージ７２６ｂを、第三の基地局３１２ｃへ送信する構成を示している。この信号メッセージ７２６ｂは、リダンダンシーバージョン割当情報７２８ｂとリソース割当情報７３０ｂとを含む。
【００４８】
前記信号メッセージ７２６ａ、７２６ｂは、ＣｏＭＰ初期設定中（すなわち、ＣｏＭＰセル形成中）に、準静的な方式で送られる上位レイヤ信号メッセージである。準静的割り当ては、リソースブロックおよびリダンダンシーバージョン３２０を動的に変更する柔軟性を低下させるが、信号のオーバーヘッドを低減する。あるいは、信号メッセージ７２６ａ、７２６ｂは、協調基地局３１２ａ、３１２ｂ、３１２ｃの間で動的な方式で交換される制御信号メッセージである。信号メッセージ７２６ａ、７２６ｂは、レイヤ２プロシージャを介して送信される（すなわち、信号メッセージ７２６ａ、７２６ｂはレイヤ２信号を含む）。
【００４９】
いくつかの実施例においては、明示的な信号の要求はない。信号を送る代わりに、最初およびそれに続く再送のために使用されるリダンダンシーバージョン３２０が、ＣｏＭＰセル形成中に静的もしくは準静的に定義することが可能な予め定義されたパターンに基づいて配置される（例：ｒｖｉ，ｒｖｉ＋１，ｒｖｉ＋２）。ここで、ｒｖｉはリダンダンシーバージョン３２０のｉ番目の送信を表す（ｉ＋１は１番目の再送信である、など）。
【００５０】
次に、図８を参照する。コアネットワーク８３２（すなわちレイヤ３およびその上位層）はリダンダンシーバージョン３２０を、関与する基地局３１２ａ、３１２ｂ、３１２ｃのそれぞれに割り当てる。図８は、コアネットワーク８３２がリダンダンシーバージョン割当情報８２８を協調基地局３１２ａ、３１２ｂ、３１２ｃに送信する構成を示している。前記リダンダンシーバージョン３２０の割り当ては、動的に行って良い。この時は、送信と送信との間で変化する。あるいは、前記リダンダンシーバージョン３２０の割り当ては静的であってもよい。例えば、リダンダンシーバージョン３２０の割り当ては、関与する基地局３１２の数８３６の関数であってもよい。その時は、関与する基地局３１２の与えられた数８３６次第で、割当テーブル８３８が異なるものになる。
【００５１】
次に、図９を参照する。リダンダンシーバージョン３２０の割り当ては、ＵＥ３１４において行われ、基地局３１２ａ、３１２ｂ、３１２ｃに送り返される。図９は、ＵＥ３１４がリダンダンシーバージョン割当情報９２８を協調基地局３１２ａ、３１２ｂ、３１２ｃに送信する構成を示している。しかしながら、ＵＥ３１４は、常にリダンダンシーバージョン３２０を明示的にフィードバックする必要はない。仮に送信ポイント（例：基地局３１２ａ、３１２ｂ、３１２ｃ）が、ＵＥ３１４のフィードバックに基づいてチャネルを推定可能であるならば、前記送信ポイントは自律的にリダンダンシーバージョン３２０を決定してよい。さらに言えば、仮に送信ポイントが、ＵＥ３１４のフィードバックを、フィードバックレポートおよび／または、送信ポイントからＵＥ３１４へのチャネルから、明示的／暗黙的フィードバック（明示的／暗黙的情報）に基づいて、検出できるならば、ＵＥ３１４は自律的に、有り得るリダンダンシーバージョン３２０のいずれかに基づくＵＥ３１４の符号語を再送信し、サービング基地局３１２ａに、その選択を示し、それに続いて、サービング基地局３１２ａが、ＵＥ３１４へ信号を送る。
【００５２】
次に、図１０を参照する。このメソッド１０００では、１００２で、それぞれの基地局３１２は、利用可能なリダンダンシーバージョン３２０のリストを得、１００４で、前記リストからランダムに利用可能なリダンダンシーバージョン３２０の一つを選択し、１００６で、ＵＥ３１４に、前記選択について通知する。
【００５３】
次に、図１１を参照する。サービング基地局３１２ａはＵＥ３１４に、リダンダンシーバージョン３２０および協調基地局３１２ａ、３１２ｂ、３１２ｃによって利用されるリソースを通知する。この通知は、制御チャネル１１４４（例：物理的ダウンリンク制御チャネル（ＰＤＣＣＨ））上での信号の伝送を介して行われる。図１１は、サービング基地直３１２ａがリダンダンシーバージョン割当情報１１２８およびリソース割当情報１１３０をＵＥ３１４に、制御チャネル１１４４を介して送信する構成を示している。異なる空間レイヤが、再送信パケット３１８の異なるリダンダンシーバージョン３２０を伝えた場合、サービング基地局３１２ａは、ＵＥ３１４に、それぞれのレイヤによって送信されたリダンダンシーバージョン３２０を信号で伝える。
【００５４】
あるいは、ルックアップテーブル形式にマッピングした、暗黙のリダンダンシーバージョン用のレイヤが存在してもよい。例えば、前記ルックアップテーブルは、レイヤ１はｒｖ＿ｘを使用し、レイヤ２はｒｖ＿ｙを使用することを指定することが可能である。ここで、ｒｖ＿ｘおよびｒｖ＿ｙは、それぞれ空間レイヤ１および２において使用される、異なるリダンダンシーバージョン３２０である。前記ルックアップテーブルは、静的に割り当てられる（すなわち、固定される）か、準静的にＣｏＭＰセル形成中に割り当てられる。一つのリダンダンシーバージョン３２０を送信するために１つ以上のレイヤを使用することができる。
【００５５】
次に、図１２を参照する。ある状況下で、サービング基地局３１２ａは、再送信に参加している、関与している基地局３１２ａ、３１２ｂ、３１２ｃのサブセットを選択する。再送信パケット３１８を送るために選択すべきなのは、どの再送信ポイント（例：基地局３１２ａ、３１２ｂ、３１２ｃのいずれか）とどの関連付けられたリダンダンシーバージョン３２０なのかを決定するサービング基地局３１２ａのために、ＵＥ３１４は、送信ポイントからの個別チャネルをフィードバックすることが可能である。図１２は、ＵＥ３１４が、チャネル情報１２４６を、サービング基地局３１２ａに送り返す構成を示している。チャネル情報１２４６は、それぞれの基地局３１２の情報１２４８を含む。この情報１２４８は、個別のチャネル品質インジケータ１２５０、プリコーディングマトリクスインジケータ１２５２、およびランクインジケータ１２５４を含む。前記フィードバックは、さらに前記個別のレポートを、前記結合チャネルの結合チャネル品質インジケータ、前記結合チャネルのプレコーディングマトリクスインジケータおよび前記結合チャネルのランクインジケータを結合したものに相当するジョイントレポートに結合させることもできる。
【００５６】
さらに、ＵＥ３１４は、優先された再送信ポイントのインデックス１２５６（もしくは、複数フィードバックされる場合には、複数のインデックス）および優先され、使用されるリダンダンシーバージョン１２５８をフィードバックすることも可能である。サービング基地局３１２ａは、再送信ポイントのサブセットの選択（例：協調基地局３１２ａ、３１２ｂ、３１２ｃのサブセットの選択）およびＵＥ３１４の優先順位に基づくリダンダンシーバージョン３２０の選択が可能である。サービング基地局３１２ａは、ＵＥ３１４からのフィードバックレポートに基づいて、最も高い再送信の成功率を有する再送信ポイント３１２およびリダンダンシーバージョン３２０を選択する。
【００５７】
上述の命令技術に加えて、サービング基地局３１２ａが、その時ごとの様式で命令の決定および通知を行うという別の命令技術も含めることが可能である。このタイプの命令技術を容易にするには、命令テーブルが予め、全ての関与している基地局３１２ａ、３１２ｂ、３１２に送信される。
【００５８】
上述の説明において、再送信パケット３１８は、複数の協調基地局３１２から送信されると仮定されている。しかしながら、ここで開示されたメソッドの範囲は、この点に限定されるものではない。再送信パケット３１８は、協調基地局３１２以外の送信ポイント（例：中継装置、遠隔無線機器など）から送信されてもよい。ここで開示された上記メソッドは、いかなるタイプの送信ポイントに関しても利用できる。
【００５９】
上述の、ダウンリンクＣｏＭＰに関する技術は、マルチ送信アンテナを含むシステムに適用可能である。多地点協調システムは、一つの分散型マルチアンテナシステムとみなすことが可能である。したがって、全ての送信アンテナが一箇所にある（co-located）統合システムにおいて、同じ技術が適用可能である。マルチアンテナを有するシステムにおいて、異なるリダンダンシーバージョン３２０を有するパケットは、異なるレイヤで送信される。
【００６０】
上述の説明は、主として、協調基地局３１２ａ、３１２ｂ、３１２ｃによって送信される再送信パケット３１８ａ、３１８ｂ、３１８ｃに焦点を合わせている。しかしながら、本願の範囲は、この点に限定されるものではない。ここで開示された上記メソッドは、オリジナルの送信（オリジナルの送信パケット）にも同様に適用できる。
【００６１】
次に、図１３を参照する。図１３は、ここで開示されたメソッドの少なくとも一部が利用されている別のシステム１３００を図示している。図１３に表されたシステム１３００は、アップリンクＣｏＭＰと関連する。アップリンクＣｏＭＰに関して、複数の基地局１３１２ａ、１３１２ｂ、１３１２ｃは、ＵＥ１３１４が送信したパケット１３６２を受信し、協調的にパケット１３６２の復号を試みる。同じパケット１３６２を、全ての協調基地局１３１２ａ、１３１２ｂ、１３１２ｃに送信することが可能である。仮に、サービング基地局１３１２ａが、受信したパケット１３６４ａを復号できない場合でも、他の基地局１３１２ｂ、１３１２ｃが、受信したパケット１３６４ｂ、１３６４ｃ、もしくはその一部を、サービング基地局１３１２ａに送信する。このような送信が定常的に、Ｘ２インタフェース（バックホール接続１３６６）を介して、二つの基地局１３１２間で行われる。しかしながら、バックホール接続１３６６を介した送信はコストが高いので、最小限度の使用とする。
【００６２】
次に、図１４を参照する。このメソッド１４００において、ＵＥ１３１４は、１４０２で、パケット１３６２の最初の送信を、複数の協調基地局１３１２ａ、１３１２ｂ、１３１２ｃに対して行う。仮に、サービング基地局１３１２ａが、１４０４で、受信したパケット１３６４ａを復号できない場合、サービング基地局１３１２ａは、１４０６で、ＮＡＣＫを送信する。しかしながら、仮に、他の協調基地局１３１２ｂ、１３１２ｃが、１４０８で、受信したパケット１３６４ｂ、１３６４ｃの復号に成功したならば、この協調基地局１３１２ｂ、１３１２ｃは、１４１０で、復号された情報をサービング基地局１３１２ａに、バックホール接続１３６６ａ、１３６６ｂを介して送信する。そして、協調基地局１３１２ｂ、１３１２ｃは、１４１２で、ＡＣＫを送信する。
【００６３】
次に、図１５を参照する。このメソッド１５００では、ＵＥ１３１４は、１５０２で、パケット１３６２の最初の送信を、複数の協調基地局１３１２ａ、１３１２ｂ、１３１２ｃに対して行う。協調基地局１３１２ａ、１３１２ｂ、１３１２ｃが、１５０４で、受信したパケット１３６４ａ、１３６４ｂ、１３６４ｃを復号できない場合（例：送信されたパケット１３６２を正しく受信しなかった）、非サービング基地局１３１２ｂ、１３１２ｃは、１５０６で、受信したパケット１３６４ｂ、１３６４ｃの全てもしくは一部を、サービング基地局１３１２ａと共有する。例えば、第二の基地局１３１２ｂは、自身が受信したパケット１３６４ｂの一部１３６５ａ（例：受信したパケット１３６４ｂの前半部分）を、与えられたリダンダンシーバージョン１３２０ａと共に、サービング基地局１３１２ａへ、第一のバックホール接続１３６６ａを介して送信する。同様に、第三の基地局１３１２ｃは、自身が受信したパケット１３６４ｃの一部１３６５ｂ（例：受信したパケット１３６４ｃの後半部分）を、同じ、もしくは異なるリダンダンシーバージョン１３２０ｂと共に、サービング基地局１３１２ａへ、第二のバックホール接続１３６６ｂを介して送信する。
【００６４】
受信されたパケット１３６４ａ、１３６４ｂ、１３６４ｃを分割する命令は、分割割り当てと同様に、上述のダウンリンクＣｏＭＰに関連する命令技術（すなわち、図５−１２と関連する上述の技術）を使用して行われる。さらに、特定の基地局１３１２から送信され、受信されたパケット１３６４の一部は、パラメータ化される。
【００６５】
パケット１３６２の最初の送信では、重畳コード１３６０を使用する。言い換えれば、追加情報は、重畳コーディング１３６０を使用して符号化されるので、より高いチャネル品質を有する基地局１３１２は、より多くパリティビットを受信でき、それゆえ、異なるリダンダンシーバージョンを再送信に使用することができる。異なるリダンダンシーバージョンを有する異なる再送信パケットは、異なる協調基地局１３１２ａ、１３１２ｂ、１３１２ｃへと、空間自由度（空間リソース）を使用して送信されることが可能である。
【００６６】
本発明の、他の実施形態では、上記メソッドは、時間、周波数、空間レイヤ、およびコードのうちの少なくとも一つから得られる第一および少なくとも一つの別の自由度を含むことが可能である。上記メソッドはさらに、少なくとも２つの送信ポイントのうちの異なる送信ポイントから得られる第一および少なくとも一つの別の自由度を含むことが可能である。上記メソッドはさらに、異なる送信ポイントのリソースの組み合わせである、少なくとも一つの第一の自由度および少なくとも一つの別の自由度を含むことが可能である。
【００６７】
本発明の、他の実施形態では、上記メソッドは、パケットの第二の部分と同じリダンダンシーバージョンを有する、パケットの第一の部分を含むことができる。上記メソッドはさらに、パケットの第二の部分とは異なるリダンダンシーバージョンを有する、パケットの第一の部分を含むことも可能である。
【００６８】
本発明の、他の実施形態では、上記メソッドは、重畳コードを使用した符号化追加情報を含むことができるので、よりよいチャネルを有する受信ポイントは、追加パリティビットにアクセスすることが可能である。上記メソッドは、基地局である受信ポイントを含むことも可能である。
【００６９】
上述の、アップリンクＣｏＭＰに関する説明では、複数の協調基地局１３１２に焦点を当てられている。しかしながら、ここで開示されたメソッドの範囲は、これに限定されるものではない。ここで開示されている、アップリンクＣｏＭＰと関連する上記メソッドは、協調基地局とは別の送信ポイントを含んでもよい。ここで開示された上記メソッドは、あらゆるタイプの受信ポイントに関して利用できる。
【００７０】
図１６は、通信デバイス１６０２に利用されてよい様々なコンポーネントを図示している。通信デバイス１６０２は、ＵＥもしくは基地局である。通信デバイス１６０２は、通信デバイス１６０２の動作を制御するプロセッサ１６０６を含む。プロセッサ１６０６は、ＣＰＵとも呼ばれる。メモリ１６０８は、ＲＯＭ（read-only memory）、ＲＡＭ（random access memory）、もしくは、情報を蓄えるあらゆるタイプのデバイスを含む。該メモリ１６０８は、命令１６０７ａおよびデータ１６０９ａを、プロセッサ１６０６に与える。メモリ１６０８の一部はさらに、不揮発性ＲＡＭ（ＮＶＲＡＭ、non-volatile random access memory）を含んでもよい。さらに命令１６０７ｂおよびデータ１６０９ｂが、プロセッサ１６０６内にも存在している。プロセッサ１６０６内にロードされた命令１６０７ｂはさらに、プロセッサ１６０６による実行用にメモリ１６０８からロードされた命令１６０７ａを含む。命令１６０７は、プロセッサ１６０６によって実行され、ここで開示された上記メソッドを履行する。
【００７１】
通信デバイス１６０２はさらに、データの送信と受信を可能にする送信機１６１０（送信部）および受信機１６１２（受信部）を収納するハウジングを含む。送信機１６１０および受信機１６１２を組み合わせることでトランシーバ１６２０が構成される。アンテナ１６１８は、上記ハウジングに取り付けられており、トランシーバ１６２０と電気的に連結されている。追加アンテナが使用されてもよい。
【００７２】
通信デバイス１６０２の、様々なコンポーネントが、バスシステム１６２６によって互いに連結されている。このバスシステム１６２６は、データバスに加えて、パワーバス、制御信号バス、およびステータス信号バスを含んでよい。しかしながら、描写を明快にするために、上記の様々なバスは、図１６では、バスシステム１６２６として図示されている。通信デバイス１６０２はさらに、信号の処理に使用されるＤＳＰ（digital signal processor）１６１４を含む。このＤＳＰ１６１４は、サービング基地局が、パケットを復号できるかどうかを判別する判別部とみなすことが可能である。ＤＳＰ１６１４はさらに、重畳符号化を使用して、追加情報の判別を行う判別部とみなすことも可能であるので、よりよいチャネルを有する受信ポイントは、追加パリティビットにアクセスすることが可能である。通信デバイス１６０２はさらに、通信デバイス１６０２の機能へのユーザのアクセスを可能とする通信インタフェース１６２４を含む。図１６に示される通信デバイス１６０２は、特定のコンポーネントの一覧というよりは、機能ブロック構成図である。
【００７３】
本発明の、他の実施形態では、送信ポイントは情報の再送信に適するように構成されている。前記送信ポイントは、プロセッサ、当該プロセッサと電気的に通信可能なメモリ、当該メモリに格納された命令を含んでいる。前記命令は、送信パケットの第一のリダンダンシーバージョンを、第一の自由度のユーザ機器に送信することを実行可能とする命令である。ここで、少なくとも一つの別の再送信パケットのリダンダンシーバージョンをユーザ機器へ送信するにあたって、上記第一の自由度は、少なくとも一つの別の自由度と異なるものである。
【００７４】
本発明の、いくつかの実施形態では、サービング基地局は、複数基地局のアップリンク協調通信のための情報の再送信のために構成されている。前記サービング基地局は、プロセッサ、当該プロセッサと電気的に通信可能なメモリ、当該メモリに格納された命令を含んでいる。前記命令は、ユーザ機器からパケットを受信し、サービング基地局がパケットを復号できなかったことを判別し、第一のバックホール接続を介して第一の協調基地局からパケットの第一の部分を受信し、第二のバックホール接続を介して第二の協調基地局からパケットの第二の部分を受信することを実行可能とする命令である。
【００７５】
本発明の、他の実施形態は、複数基地局のアップリンク協調通信のための情報の送信装置を含む。前記装置は、プロセッサ、当該プロセッサと電気的に通信可能なメモリ、当該メモリに格納された命令を含んでいる。前記命令は、複数の協調受信ポイントのそれぞれへパケットを送信し、異なるリダンダンシーバージョンを有する、異なる再送信パケットを、異なる協調受信ポイントへ、空間自由度を利用して送信することを実行可能とする命令である。
【００７６】
ここで使用されるように、“決定（determining）”という用語は、多種多様な動作を含み、それゆえに、“決定”という用語は、計算（calculating）、コンピュータ演算（computing）、データ処理（processing）、演繹（deriving）、調査（investigating）、検索（looking up、例：テーブル、データベースや他のデータ構造の検索）、確認（ascertaining）などの意味を含む。さらに、“決定”という用語は、受信（receiving、例：情報の受信）、アクセス（accessing、例：メモリに格納されたデータへのアクセス）などの意味を含む。さらに、“決定”という用語は、解決（resolving）、選択（selecting）、選定（choosing）、確立（establishing）などの意味を含む。
【００７７】
“基づく（based on）”というフレーズは、明確に明記されていない限り、“それのみに基づく（based only on）”という意味ではない。すなわち、“基づく”というフレーズは、“それのみに基づく（based only on）”と、“少なくともそれに基づく（based at least on）”との、両方の意味を有する。
【００７８】
“プロセッサ”という用語は、汎用プロセッサ（general purpose unit）、中央処理ユニット（ＣＰＵ、central processing unit）、マイクロプロセッサ（microprocessor）、デジタル信号プロセッサ（ＤＳＰ、digital signal processor）、コントローラ（controller）、マイクロコントローラ（microcontroller）、ステートマシン（state machine）などを含むものであると幅広く解釈される。ある状況下では、“プロセッサ”という用語は、特定用途向け集積回路（ＡＳＩＣ、application specific integrated circuit）、プログラム可能論理デバイス（ＰＬＤ、programmable logic device）、書替え可能ゲートアレイ（ＦＰＧＡ、field programmable gate array）、などを意味する。“プロセッサ”という用語は、処理デバイスの組み合わせも意味する。例えば、ＤＳＰとマイクロプロセッサとの組み合わせ、多数のマイクロプロセッサ、ＤＳＰコアと連結した一つ以上のマイクロプロセッサ、または、その他の構成を意味する。
【００７９】
“メモリ”という用語は、電気的情報を保存可能である全ての電気的コンポーネントを含めるために、幅広く解釈される。上記メモリという単語は、多種多様なタイプのプロセッサが読み取ることが可能な媒体を意味する。例としてＲＡＭ（random access memory）、ＲＯＭ（read-only memory）、不揮発性ＲＡＭ（ＮＶＲＡＭ、non-volatile random access memory）、ＰＲＯＭ（programmable read-only memory）、ＥＰＲＯＭ（erasable programmable read only memory）、ＥＥＰＲＯＭ（electrically erasable programmable read only memory）、フラッシュメモリ、磁気データ記憶装置もしくは光データ記憶装置、レジスタ、などが挙げられる。プロセッサがメモリから情報を読み出すことができる、および／またはメモリに情報を書き出すことができる場合、メモリは、プロセッサと電気的に通信可能であると言われる。メモリが、プロセッサに集積されている場合にも、プロセッサと電気的に通信可能であると言われる。
【００８０】
“指示”および“コード”という用語は、あらゆるタイプのコンピュータ読み取り可能な命令文を含むものであると、幅広く解釈される。例えば、“指示”および“コード”という用語は、一つ以上のプログラム、ルーチン、サブルーチン、関数、プロシージャなどを意味する。“指示”および“コード”は、単独のコンピュータ読み取り可能な命令文、もしくは多数のコンピュータ読み取り可能な命令文を構成する。ここで述べられた関数は、一つ以上のコンピュータ読み取り可能な媒体上の命令として、実装される。“コンピュータ読み取り可能な媒体”という用語は、コンピュータがアクセスできるあらゆる媒体を意味する。限定ではなく例として、コンピュータ読み取り可能な媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶機器、もしくは他のあらゆる媒体から構成される。その媒体は、所望のプログラムコードを、命令もしくはデータ構造の形式で記憶するために使用でき、かつコンピュータによってアクセスできるものである。ここで使用されるディスク（disk、disc）は、コンパクトディスク（ＣＤ、compact disc）、レーザディスク（laser disc）、光ディスク（optical disc）、デジタル多用途ディスク（ＤＶＤ、digital versatile disc）、フロッピーディスク（登録商標）（floppy disk）、およびブルーレイディスク（登録商標）（Blu-ray disc）を含む。ディスク（disk）は通常、データを磁気的に再生し、ディスク（disc）はデータをレーザを用いて光学的に再生する。
【００８１】
ソフトウェアもしくは命令は、伝送媒体によっても伝送される。例えば、仮にソフトウェアがウェブサイト、サーバ、もしくは他の遠隔ソースから、同軸ケーブル、光ファイバーケーブル、ツイストペアケーブル、デジタル加入者線（ＤＳＬ）、もしくは赤外線、ラジオ、およびマイクロウェーブなどの無線技術を用いて伝送された場合は、同軸ケーブル、光ファイバーケーブル、ツイストペアケーブル、ＤＳＬ、もしくは赤外線、ラジオ、およびマイクロウェーブなどの無線技術は、伝送媒体の定義に含まれる。
【００８２】
ここで開示されたメソッドは、説明されたメソッドを実現するための一つ以上のステップもしくは動作より成る。上記メソッドのステップおよび／または動作は、請求項の範囲から外れなければ、互いに交換できる。すなわち、ステップまたは動作の特別な順序が、説明されたメソッドの適切な実行のために必要でない限り、特定のステップおよび／または動作の順序および／または使用は、請求項の範囲から外れなければ修正されてもよい。
【００８３】
上記請求項は、上述のように描写された詳細な設定もしくは構成に限定されるものではない。多様な修正、変更、および変形が、ここで記述されたシステム、方法、および装置の配置、操作、および細部において、請求項の範囲から外れなければ行われてもよい。
【図１】
2013502086.tif 000003
【図２】
2013502086.tif 000004
【図３】
2013502086.tif 000005
【図４】
2013502086.tif 000006
【図５】
2013502086.tif 000007
【図６】
2013502086.tif 000008
【図７】
2013502086.tif 000009
【図８】
2013502086.tif 000010
【図９】
2013502086.tif 000011
【図１０】
2013502086.tif 000012
【図１１】
2013502086.tif 000013
【図１２】
2013502086.tif 000014
【図１３】
2013502086.tif 000015
【図１４】
2013502086.tif 000016
【図１５】
2013502086.tif 000017
【図１６】
2013502086.tif 000018
【国際調査報告】
2013502086.tif 000019